(57)【特許請求の範囲】
【請求項１】
複数の窓にそれぞれ設置されるブラインドの開閉状態によって文字若しくは図形をイルミネーションパターンとして表現するイルミネーション制御装置に対し、前記ブラインドの開閉状態を制御する制御データを入力する入力装置において、
前記ブラインドを複数の小図形として、該ブラインドに対応した配列で表示する表示装置と、
前記ブラインドの開閉状態を選択するために、前記各小図形の表示を選択操作する操作装置と、
前記操作装置の選択操作に基づいて、前記各小図形の表示を変化させるとともに、該小図形の位置情報及び表示情報を、対応するブラインドの開閉状態を制御するための制御データとし、該制御データをファイルする制御部と、
前記ファイルを格納する記憶装置と
を備えたことを特徴とするイルミネーション制御用データの入力装置。
【請求項２】
前記制御部は、ブラインドの開閉状態を前記小図形の色彩で表示させることを特徴とする請求項１記載のイルミネーション制御用データの入力装置。
【請求項３】
前記制御部は、前記小図形を表示する表示装置の画面を上下左右方向にスクロール可能としたことを特徴とする請求項１乃至２のいずれかに記載のイルミネーション制御用データの入力装置。
【請求項４】
前記制御部は、前記ファイルにファイル名と該ファイル内に制御データの集合に基づいて表示される図形の図形名を付与可能としたことを特徴とする請求項１乃至３のいずれかに記載のイルミネーション制御用データの入力装置。
【請求項５】
前記制御部は、多数の小図形を一覧表示する全景画面と、前記全景画面のうちの一部の範囲を選択して表示する図形作成画面とのいずれか若しくは両方を選択して前記表示装置に表示可能としたことを特徴とする請求項３記載のイルミネーション制御用データの入力装置。
【請求項６】
前記イルミネーション制御装置は、複数の窓にそれぞれ設置されるブラインドの開閉状態を、前記制御データに基づいて制御する制御部を備え、該制御部で前記ブラインドの開閉状態を制御することにより、文字若しくは図形をイルミネーションパターンとして表現するものであり、
前記イルミネーション制御装置の制御部は、前記制御データに基づいて開状態とするブラインドと閉状態とするブラインドとにそれぞれグループ番号を設定し、当該グループ番号に基づいて、開状態とするブラインドの開放動作と、閉状態とするブラインドの閉鎖動作とを並行して一括制御することを特徴とする請求項１乃至５のいずれかに記載のイルミネーション制御用データの入力装置。
【請求項７】
前記イルミネーション制御装置の制御部は、あらかじめ設定された複数のイルミネーションパターンを、設定された時間間隔毎と指定時刻毎の少なくともいずれかで順次表示することを特徴とする請求項６記載のイルミネーション制御用データの入力装置。
【請求項８】
複数の窓にそれぞれ設置されるブラインドの開閉状態によって文字若しくは図形をイルミネーションパターンとして表現するイルミネーション制御装置に対し、前記ブラインドの開閉状態を制御する制御データを入力する入力装置において、
あらかじめ作成されたイルミネーションパターンの原画を、変換プログラムに基づいてイルミネーションパターンの制御データに変換してファイルする制御部と、
前記ファイルを格納する記憶装置と、
前記制御部で変換された制御データに基づくイルミネーションパターンを表示するデータ表示部とを備えたことを特徴とするイルミネーション制御用データの入力装置。
【請求項９】
前記制御部は、それぞれブラインドに対応する多数のピクセルで構成された原画の各ピクセルの色情報に基づいて、各ピクセルに対応するブラインドを開状態とするか、閉状態とするかを設定可能としたことを特徴とする請求項８記載のイルミネーション制御用データの入力装置。
【請求項１０】
前記原画は、ビットマップデータで構成したことを特徴とする請求項８乃至９のいずれかに記載のイルミネーション制御用データの入力装置。
【発明の詳細な説明】
【０００１】
【発明の属する技術分野】
この発明は、入力装置から入力された制御データに基づいて、電動ブラインドのスラット昇降動作及びスラット角度調節動作を自動制御する電動ブラインドの制御装置に関するものである。
【０００２】
【従来の技術】
近年、夜間に、ビル壁面の多数の窓面から室内光を放射するか否かを選択することにより、各窓を一つの画素として、当該ビル壁面に文字やその他の画像等のイルミネーションパターンを表示可能としたイルミネーション装置が実用化されている。
【０００３】
このようなイルミネーション装置では、各窓にそれぞれ設置された電動ブラインドのブラインド開度を全開とするか、全閉とするかにより、窓面から室内光を放射するか否かが選択可能となっている。
【０００４】
各窓に設置された電動ブラインドの動作は、パソコン等で構成されるメインコントローラの入力装置から入力された制御データと、メインコントローラにあらかじめ設定されたプログラムとに基づいて自動制御される。
【０００５】
そして、昼間においては、採光量を適宜に調節するために、ブラインド開度及びスラット角度が制御され、夜間においては、上記のようなイルミネーション制御が行われる。
【０００６】
このようなメインコントローラは、各ブラインドのスラット角度及びブラインド開度等の制御データを、あらかじめ格納されている制御データ入力用プログラムに基づいて入力可能となっている。
【０００７】
【発明が解決しようとする課題】
ところが、上記のようなメインコントローラでイルミネーション制御を行うための入力データを入力するには、壁面に表示するパターン図をあらかじめ作成し、そのパターン図に基づいて各窓の電動ブラインドを開状態とするか閉状態とするかの動作命令を、入力装置の入力画面上において、各電動ブラインドにあらかじめ設定されたブラインド番号に基づいて一台ずつ入力していく必要があるため、その入力作業が煩雑であった。
【０００８】
また、イルミネーション制御を行う際に、各電動ブラインドの動作命令はメインコントローラから各電動ブラインドに同時に転送することはできず、一台ずつの動作命令を各電動ブラインドに順次転送する必要がある。
【０００９】
すると、全電動ブラインドの開閉動作を同時に行うことができないため、入力データに基づいてイルミネーションパターンを所定時間毎に変更するような場合に、そのパターンを一斉に変更することはできない。
【００１０】
そこで、各電動ブラインドでは動作命令を受信しても直ちに動作を開始せず、メインコントローラから発信される一斉開始信号に基づいて一斉に動作を開始する構成とした制御装置も開示されている。
【００１１】
しかし、このような制御装置では、イルミネーション制御を行うために、昼間におけるブラインドの開閉制御では必要としない一斉開始信号を発信する必要があるため、プログラムが複雑となるという問題点がある。
【００１２】
この発明の目的は、イルミネーション制御を容易にかつ迅速に行い得る電動ブラインドの制御装置を提供することにある。
【００１３】
【課題を解決するための手段】
請求項１では、複数の窓にそれぞれ設置されるブラインドの開閉状態によって文字若しくは図形をイルミネーションパターンとして表現するイルミネーション制御装置に対し、前記ブラインドの開閉状態を制御する制御データを入力する入力装置において、前記ブラインドを複数の小図形として、該ブラインドに対応した配列で表示する表示装置と、前記ブラインドの開閉状態を選択するために、前記各小図形の表示を選択操作する操作装置と、前記操作装置の選択操作に基づいて、前記各小図形の表示を変化させるとともに、該小図形の位置情報及び表示情報を、対応するブラインドの開閉状態を制御するための制御データとし、該制御データをファイルする制御部と、前記ファイルを格納する記憶装置とを備えた。
【００１４】
請求項２では、前記制御部は、ブラインドの開閉状態を前記小図形の色彩で表示させる。
請求項３では、前記制御部は、前記小図形を表示する表示装置の画面を上下左右方向にスクロール可能とした。
【００１５】
請求項４では、前記制御部は、前記ファイルにファイル名と該ファイル内に制御データの集合に基づいて表示される図形の図形名を付与可能とした。
請求項５では、前記制御部は、多数の小図形を一覧表示する全景画面と、前記全景画面のうちの一部の範囲を選択して表示する図形作成画面とのいずれか若しくは両方を選択して前記表示装置に表示可能とした。
【００１６】
請求項６では、前記イルミネーション制御装置は、複数の窓にそれぞれ設置されるブラインドの開閉状態を、前記制御データに基づいて制御する制御部を備え、該制御部で前記ブラインドの開閉状態を制御することにより、文字若しくは図形をイルミネーションパターンとして表現するものであり、前記イルミネーション制御装置の制御部は、前記制御データに基づいて開状態とするブラインドと閉状態とするブラインドとにそれぞれグループ番号を設定し、当該グループ番号に基づいて、開状態とするブラインドの開放動作と、閉状態とするブラインドの閉鎖動作とを並行して一括制御する。
【００１７】
請求項７では、前記イルミネーション制御装置の制御部は、あらかじめ設定された複数のイルミネーションパターンを、設定された時間間隔毎と指定時刻毎の少なくともいずれかで順次表示する。
【００１８】
請求項８では、複数の窓にそれぞれ設置されるブラインドの開閉状態によって文字若しくは図形をイルミネーションパターンとして表現するイルミネーション制御装置に対し、前記ブラインドの開閉状態を制御する制御データを入力する入力装置において、あらかじめ作成されたイルミネーションパターンの原画を、変換プログラムに基づいてイルミネーションパターンの制御データに変換してファイルする制御部と、前記ファイルを格納する記憶装置と、前記制御部で変換された制御データに基づくイルミネーションパターンを表示するデータ表示部とを備えた。
【００１９】
請求項９では、前記制御部は、それぞれブラインドに対応する多数のピクセルで構成された原画の各ピクセルの色情報に基づいて、各ピクセルに対応するブラインドを開状態とするか、閉状態とするかを設定可能とした。
【００２０】
請求項１０では、前記原画は、ビットマップデータで構成した。
【００２１】
【発明の実施の形態】
（第一の実施の形態）
以下、この発明を具体化した第一の実施の形態を図面に従って説明する。図１に示すように、パソコンで構成されるメインコントローラ１には、信号線２を介して複数のフロアコントローラ３が接続され、各フロアコントローラ３には信号線２を介して多数のブラインドコントローラ４が接続される。
【００２２】
そして、前記メインコントローラ１はその入力装置から入力された制御データと、メインコントローラ１にあらかじめ設定されたプログラムとに基づいて、フロアコントローラ３を介して各ブラインドコントローラ４を制御する。
【００２３】
前記ブラインドコントローラ４は、各電動ブラインドのヘッドボックスに内蔵され、当該ブラインドのスラットの昇降動作及び角度調節動作を制御する。従って、各電動ブラインドのスラットの昇降動作及び角度調節動作は、メインコントローラ１に入力された制御データと、メインコントローラ１にあらかじめ設定されたプログラムとに基づいて制御される。
【００２４】
前記各ブラインドコントローラ４には、各電動ブラインドの近傍に設けられた手元スイッチ５がそれぞれ接続される。そして、手元スイッチ５の操作に基づいて、各電動ブラインドのブラインドコントローラ４を介してスラットの昇降動作及び角度調節動作を制御可能となっている。
【００２５】
前記メインコントローラ１の電気的構成を図２に示す。制御部６に接続されるプログラムメモリ７には、前記各電動ブラインドを自動制御するためのプログラム及び制御データを入力するための入力プログラムがあらかじめ格納され、制御部６はそのプログラムに基づいて動作する。
【００２６】
前記制御部６に接続されたマウス８及びキーボード９は、制御データの入力操作及びその他の入力操作時に使用される。また、制御部６に接続された作業用メモリ１０は、制御部６の動作に基づいて生成されたデータ、信号線２を介してメインコントローラ１に入力されたデータ等を一時的に格納する場合に使用される。
【００２７】
前記制御部６に接続された入出力インターフェース１１は、前記信号線２に接続され、制御部６から出力される制御データあるいはその他の信号を信号線２を介して前記フロアコントローラ３に出力するとともに、前記各ブラインドコントローラ４から出力される信号を受信して、制御部６に入力する。
【００２８】
前記制御部６に接続された表示装置１２は、ＣＲＴあるいは液晶表示装置で構成され、前記各プログラムに基づいて動作する制御部６により、各種入力画面あるいは設定画面等が表示される。
【００２９】
図３は、イルミネーション制御を行うための制御データの入力作業を行う際に、前記メインコントローラ１の表示装置１２に表示される図形作成画面１３を示す。その図形作成画面１３の中央部には、１０×２０個の小図形Ｐが小図形表示領域１４内に表示され、その各小図形Ｐはビル壁面上の一つの窓に設置された電動ブラインドに対応する。そして、この小図形表示領域１４には、ビル壁面のすべての窓のうちの一部の窓に対応する小図形Ｐが窓の配列に対応して表示される。
【００３０】
そして、前記マウス８で各小図形Ｐを選択してクリックする度に、各小図形Ｐの色が例えば黄色と灰色とに交互に切り替わる。すなわち、黄色が選択された小図形Ｐに対応する電動ブラインドは開状態として設定され、灰色が選択された小図形Ｐに対応する電動ブラインドは閉状態として設定され、それらの設定データが作業用メモリ１０に格納される。
【００３１】
図３においては、黒塗り部分で黄色を示し、白抜き部分で灰色を示す。従って、この状態では小図形Ｐで「０３」の文字を表わすパターンが小図形表示領域１４で設定される。
【００３２】
前記小図形表示領域１４の上方には、ファイル名入力領域１５が設けられ、前記マウス８及びキーボード９の操作により、小図形表示領域１４で設定されたビル壁面上のパターンにファイル名を設定可能となっている。
【００３３】
前記ファイル名入力領域１５の側方には、図形名入力領域１６が設けられ、前記マウス８及びキーボード９の操作により、小図形表示領域１４で設定されたパターンに図形名を設定可能である。
【００３４】
前記小図形表示領域１４の下方には、呼出しボタン１７が設けられ、前記マウス８の操作によりその呼出しボタン１７をクリックすることにより、ファイル名入力領域１５で指定されたファイルが前記作業用メモリ１０から読み出されて小図形表示領域１４に表示される。このとき、小図形表示領域１４に表示されたパターンの図形名も前記図形名入力領域１６に表示される。
【００３５】
前記呼出しボタン１７の側方には、保存ボタン１８が設けられ、前記マウス８の操作によりその保存ボタン１８をクリックすることにより、小図形表示領域１４に表示されているパターンを含むファイル全体が、ファイル名入力領域１５に設定されたファイル名と、図形名入力領域１６に設定された図形名とともに作業用メモリ１０に格納される。
【００３６】
前記保存ボタン１８の側方には、クリアボタン１９が設けられ、前記マウス８の操作によりそのクリアボタン１９をクリックすることにより、小図形表示領域１４に表示されているファイルに含まれているすべての小図形Ｐがすべて灰色、すなわちブラインド閉状態に設定される。
【００３７】
前記クリアボタン１９の側方には、全景ボタン２０が設けられ、前記マウス８の操作によりその全景ボタン２０をクリックすることにより、表示装置１２の画面上には図形作成画面１３に代わって、図４に示すように、当該ファイルの全景画面２１が表示される。
【００３８】
また、全景ボタン２０のクリックにより、図形作成画面１３の小図形表示領域１４と、全景画面２１とを同一画面上に並べて表示するように設定することもできる。
【００３９】
この全景画面２１は、ビル壁面のすべての窓に設置される電動ブラインドの開閉状態を一覧表示するものであり、その全景画面２１内に表示される小図形Ｐの色彩は、前記図形作成画面１３上で設定された小図形Ｐの色彩が表示される。
【００４０】
前記小図形表示領域１４の下部及び側部には、横方向及び縦方向のスクロールバー２２ａ，２２ｂが設けられ、前記マウス８でそのスクロールバー２２ａ，２２ｂをドラッグすることにより、図形表示領域１４内の表示部分を、前記全景画面２１の範囲内において、横方向あるいは縦方向にスクロール可能となっている。
【００４１】
また、ビル壁面上の窓の数がさらに多く、全景画面２１においてもビル壁面上のすべての窓を表示できない場合には、前記全景画面２１にもスクロールバーを設けて、横方向及び縦方向にスクロール可能とすることもできる。
【００４２】
前記全景画面２１には、戻りボタン２３が設けられ、前記マウス８の操作によりその戻りボタン２３をクリックすると、全景画面２１が前記図形作成画面１３に切り替わるようになっている。
【００４３】
前記全景ボタン２０の側方には、プログラムボタン２４が設けられ、前記マウス８の操作によりそのプログラムボタン２４をクリックすると、表示装置１２には図形作成画面１３に代えて、各ブラインドの開閉動作をタイムスケジュールに従って制御するプログラムを作成するための画面が表示される。
【００４４】
前記プログラムボタン２４の側方には、終了ボタン２５が設けられ、前記マウス８の操作によりその終了ボタン２５をクリックすると、図形作成画面１３の表示が停止され、図形作成作業を終了するようになっている。
【００４５】
次に、上記のように構成されたメインコントローラ１によるイルミネーション制御のパターン入力動作を図５〜図１２に従って説明する。
メインコントローラ１の表示装置１２に表示されるメニュー画面に基づいてパターン入力動作を選択すると、制御部６は図３に示す図形作成画面１３を表示装置１２に表示する。
【００４６】
この状態では、制御部６は呼び出しボタン１７、保存ボタン１８、クリアボタン１９、全景ボタン２０、戻りボタン２３、終了ボタン２５及び小図形表示領域１４内の各小図形Ｐのいずれかのクリック動作を待つ状態となる（ステップ１〜８）。
【００４７】
呼出しボタン１７がクリックされると（ステップ１）、制御部６は図６に示すステップ９に移行して、ファイル名入力領域１５で設定されたファイル名を読込み、次いでそのファイル名に該当するファイルを作業用メモリ１０内において検索する（ステップ１０）。
【００４８】
該当ファイルが存在すると（ステップ１１）、制御部６はその時点で小図形表示領域１４に表示されているファイルを作業用メモリ１０の所定領域に一時退避させ（ステップ１２）、ステップ１０，１１で検索したファイルを読込んで小図形表示領域１４に表示し（ステップ１３）、ステップ１に復帰する。
【００４９】
ステップ１〜８において、小図形表示領域１４に表示された小図形のいずれかがクリックされると（ステップ２）、制御部６は図７に示すステップ１４に移行して、まずクリックされた小図形Ｐのアドレスを認識し、次いで当該小図形Ｐの現時点での色彩を判別する（ステップ１５）。
【００５０】
そして、現時点の色彩がブラインド全開状態の色、すなわち黄色であると（ステップ１６）、制御部６は当該小図形Ｐをブラインド全閉状態の色、すなわち灰色とする（ステップ１７）。
【００５１】
一方、現時点の色彩がブラインド全閉状態の色、すなわち灰色であると（ステップ１６）、制御部６は当該小図形Ｐをブラインド全開状態の色、すなわち黄色とする（ステップ１８）。
【００５２】
次いで、制御部６は当該小図形Ｐの色コードを作業用メモリの対応するアドレスに格納し（ステップ１９）、ステップ１に復帰する。
ステップ１〜８において、全景ボタン２０がクリックされると（ステップ３）、制御部６は図８に示すステップ２０に移行し、図４に示す全景画面２１を表示して、ステップ１に復帰する。この状態では、壁面全体のパターンが一覧可能となる。
【００５３】
ステップ１〜８において、スクロールバー２２ａ，２２ｂがマウス８でドラッグされると（ステップ４）、制御部６は図９に示すステップ２１に移行してスクロール方向を判別し、小図形表示領域１４に新たに表示される各小図形Ｐの色コードを作業用メモリ１０から読み出し（ステップ２２）、その色コードに基づいた色彩の小図形Ｐを小図形表示領域１４にそれぞれ表示して（ステップ２３）、ステップ１に復帰する。
【００５４】
ステップ１〜８において、クリアボタン１９がクリックされると（ステップ５）、制御部６は図１０に示すステップ２４に移行して、小図形表示領域１４に表示されているファイル内の全小図形の色を閉状態を示す灰色とし、その色コードを作業用メモリ１０に格納して（ステップ２５）、ステップ１に復帰する。この操作により、当該ファイルに設定されていたパターンがすべてクリアされるので、この操作は当該ファイルのパターンを再設定する場合等に行われる。
【００５５】
ステップ１〜８において、保存ボタン１８がクリックされると（ステップ６）、制御部６は図１１に示すステップ２６に移行して、図形作成画面１３のファイル名入力領域１５に表示されているファイル名を読込み、次いで図形名入力領域１６に表示されている図形名を読込んで１つのファイルとして作業用メモリ１０に格納する（ステップ２７）。
【００５６】
次いで、当該ファイルの全小図形Ｐのアドレス及び色コードを読み出し（ステップ２８）、前記ファイル名及び図形名とともに新たなファイルとして作業用メモリ１０に格納する（ステップ２９）。
【００５７】
ステップ１〜８において、プログラムボタン２４がクリックされると（ステップ７）、制御部６は図１２に示すステップ３０に移行して、表示装置１２に表示されている図形作成画面１３を消去し、次いで表示装置１２にプログラム作成画面を表示して（ステップ３１）、ステップ１に復帰する。
【００５８】
ステップ１〜８において、終了ボタン２５がクリックされると（ステップ８）、制御部６はパターン入力動作を終了する。
次に、上記のような入力作業によりメインコントローラ１に設定されたパターンと、前記プログラムメモリ７に格納されているイルミネーション制御プログラムとに基づいてイルミネーション制御を行う場合の動作を図１３〜図１５に従って説明する。
【００５９】
図１３に示すように、キーボード９の操作によりイルミネーション制御が開始されると、制御部６は全電動ブラインドの現行のグループ番号を作業用メモリ１０に一時格納する（ステップ４１）。このグループ番号は、昼間において、所定範囲の電動ブラインドを１グループとして一括制御する場合に、当該グループ内の各電動ブラインドのデータ設定領域に格納されているグループ番号である。
【００６０】
次いで、制御部６はキーボード９上のイルミネーション制御終了ボタンが押されたか否かを常時監視し（ステップ４２，４３）、イルミネーション制御終了ボタンが押された場合には、作業用メモリ１０に一時格納していたグループ番号を各電動ブラインドに再格納して（ステップ４４）、イルミネーション制御動作を終了する。
【００６１】
ステップ４３において、イルミネーション制御終了ボタンが押されていないと、図１４に示すように、制御部６はイルミネーション制御のための制御プログラムをプログラムメモリ７から読み出す（ステップ４５）。すなわち、図１６に示すようなプログラム例において、まず第１行目に記載された動作命令を読み出す。
【００６２】
次いで、制御部６は読み出された動作命令に時刻記述があるか否かを判別し（ステップ４６）、時刻記述がある場合には指定時刻まで待機する（ステップ４７）。
【００６３】
例えば図１６に示すプログラム例では、プログラムの１行目に月日及び時刻の指定があるため、制御部６は当該時刻まで待機する。
次いで、制御部６は指定時刻になると、プログラムに記載されたパターン番号と時間間隔を読み出し（ステップ４８）、当該パターンに該当するファイルを作業用メモリ１０から読み出す（ステップ４９）。
【００６４】
次いで、制御部６は読み出したパターンに基づいて、開状態とする電動ブラインドに共通のグループ番号を設定して発信し（ステップ５０）、閉状態とする電動ブラインドに共通のグループ番号を設定して発信する（ステップ５１）。
【００６５】
次いで、制御部６は開状態とするグループの電動ブラインドにはブラインドを全開とする動作命令を発信し、閉状態とするグループにはブラインドを全閉とする動作命令を発信する（ステップ５２）。
【００６６】
このような動作により、各電動ブラインドではブラインド全開動作あるいはブラインド全閉動作が一斉に行われ、当該パターンのイルミネーションがビル壁面上に短時間で表示される。
【００６７】
次いで、制御部６は図１５に示すように、当該パターンを表示した状態で、制御プログラムに設定された時間間隔に基づいて待機する（ステップ５３）。図１６に示すプログラム例では「Ｐａｔｔｅｒｎ０１」の時間間隔は５分に設定されているので、制御部６は５分間の待機動作を行う。
【００６８】
次いで、制御部６は時間間隔が経過したか否か及び動作命令に記述された次の指定時刻に至ったか否かを判別し（ステップ５４，５５）、指定時刻に至ることなく設定された時間間隔が経過すると、ステップ４２に復帰し、上記動作を繰り返す。このとき、ステップ４５では次の行の動作命令を順次読み出して実行する。
【００６９】
ステップ４６において、読み出した動作命令に時刻記述がないと、制御部６は動作命令がＬｏｏｐ命令であるか否かを判別する（ステップ５６）。図１６において、４行目までの動作命令はＬｏｏｐ命令ではないので、制御部６はステップ４８に移行する。
【００７０】
ステップ５６において、Ｌｏｏｐ命令であると、制御部６はステップ５７に移行する。すなわち、図１６に示すように、５行目の動作命令がＬｏｏｐ命令であり、行番号「０２」が指定されていると、制御部６は指定された行番号に移行し、ステップ４２に復帰する。従って、この後の動作は２行目から５行目までの動作命令を繰り返す状態となる。
【００７１】
ステップ５５において、指定時刻に至ると、制御部６は当該指定時刻が記述された行番号に移行し（ステップ５８）、ステップ４２に復帰する。すなわち、図１６に示すように、Ｌｏｏｐ命令により２行目から５行目までの動作命令を繰り返す状態において、６行目の動作命令に記述された指定時刻「０２：００」に至ると、制御部６は６行目の動作命令に移行して、当該動作命令を実行する。
【００７２】
このようにして、ステップ４２〜５８を繰り返し、ステップ４３においてイルミネーション制御終了ボタンが押されていると、ステップ４４を実行して、イルミネーション制御動作を終了する。
【００７３】
上記のように構成された電動ブラインドの制御装置における、イルミネーション制御のパターン入力動作及びイルミネーション制御動作では、次に示す作用効果を得ることができる。
【００７４】
（１）表示装置１２に表示される図形作成画面１３において、小図形Ｐをクリックしてその小図形Ｐの色彩を選択することにより、当該小図形Ｐに対応する窓に設置される電動ブラインドを開状態とするか閉状態とするかを容易に設定することができる。
【００７５】
（２）ビル壁面に表示されるイルミネーションパターンを図形作成画面１３上で確認しながら、各電動ブラインドの開閉状態を設定することができるので、イルミネーションパターンの入力作業を容易に行うことができる。
【００７６】
（３）小図形表示領域１４に表示されるパターンの範囲をスクロールバー２２ａ，２２ｂでスクロールすることができるので、小図形表示領域１４内に表示される小図形Ｐの数を適宜に設定して、各小図形Ｐをクリック操作しやすい大きさとし、適宜スクロールしながらイルミネーションパターンの入力作業を容易に行うことができる。
【００７７】
（４）全景ボタン２０の操作により、ビル壁面全体に表示されるイルミネーションパターンを全景画面２１として表示することができるので、イルミネーション全景を容易に把握することができる。
【００７８】
（５）イルミネーションパターンを、ファイル名とともに図形名を付して作業用メモリ１０に格納することができる。従って、多数のファイルに格納された多数の図形パターンを、ファイル名あるいは図形名に基づいて検索して図形作成画面１３に呼出すことができる。
【００７９】
（６）ファイルに格納されている図形パターンを図形作成画面１３に呼出すとき、それまで図形作成画面１３に表示されていたパターンは、自動的に作業用メモリ１０に一時格納される。従って、作成中のパターンを図形作成画面１３から消去しても、一時格納領域から再度容易に呼出すことができる。
【００８０】
（７）イルミネーション制御時には、開状態とするブラインドと閉状態とするブラインドとをグループ分けし、各グループにそれぞれブラインドを開状態とする動作命令、あるいはブラインドを閉状態とする動作命令をそれぞれ一括して発信することができる。従って、一斉動作開始命令を必要とすることなく、設定されたパターンに基づいて、各電動ブラインドを一斉に動作させて、イルミネーション制御を行うことができる。
【００８１】
（８）イルミネーション制御が終了すると、昼間におけるブラインドの開閉制御で使用するグループ番号を各ブラインドに再格納することができる。
（９）所定時間毎にイルミネーション表示するパターンを自動的に変更することができる。
【００８２】
（１０）あらかじめ選択された複数のパターンを、所定時間ずつ繰り返し表示することができる。
（１１）指定時刻に至ると、あらかじめ設定したパターンを表示することができる。
【００８３】
上記実施の形態は、次に示すように変更することもできる。
・小図形Ｐにおいて、ブラインドの開閉状態を示すには、黄色及び灰色以外の任意の色としてもよい。
・小図形Ｐにおいて、ブラインドの開閉状態を示すには、色彩の変化以外に異なる模様を付すようにしてもよい。
・呼出しボタン１７をクリックしたとき、メインコントローラ１に装填されたフロッピーディスク等の記録媒体から選択されたファイルを読み出して作業用メモリ１０に格納し、その作業用メモリ１０から当該ファイルを読み出して、小図形表示領域１４に表示するようにしてもよい。
・イルミネーション制御動作時において、メインコントローラ１に装填されたフロッピーディスク等の記録媒体から選択されたファイルを読み出して作業用メモリ１０に格納し、その作業用メモリ１０から当該ファイルを読み出して、イルミネーション制御を行うようにしてもよい。
・ステップ４３におけるイルミネーション制御の終了は、キーボードの操作以外に、表示装置１２の画面上において、所定のボタンをクリックして行うようにしてもよい。
・ステップ４３におけるイルミネーション制御の終了は、キーボードの操作以外に、イルミネーション制御プログラムに記述された終了命令で行うようにしてもよい。
・前記電動ブラインドは、電動横型ブラインド、電動縦型ブラインドあるいは電動ロールブラインドとしてもよい。
（第二の実施の形態）
図１７〜図１９は、第二の実施の形態を示す。この実施の形態は、前記メインコントローラ１に汎用の描画用プログラムを備え、その描画用プログラムに基づいて作成した原画に基づいてイルミネーションパターンの制御データを作成する構成としたものである。
【００８４】
すなわち、前記メインコントローラ１のプログラムメモリ７には、イルミネーションパターンの原画を例えばビットマップデータとして作成するための描画プログラムと、そのビットマップデータをイルミネーションパターンの制御データに変換する変換プログラムとが格納されている。
【００８５】
描画プログラムで生成されるビットマップデータは、１ピクセルが一台の電動ブラインドに対応するように設定され、横方向のピクセル数はビルの各フロアの窓の数、すなわち電動ブラインドの数に一致し、縦方向のピクセル数はビルのフロア数に一致するように設定される。
【００８６】
また、ビットマップデータにおいて、各ピクセルの色情報は描画プログラムに設定されたカラーパレットに基づいて３バイトのデータとして格納され、例えばその色情報データが「２５５，２５５，０」であれば、当該ピクセルは黄色であり、「１２８，１２８，１２８」であれば灰色である。
【００８７】
変換プログラムでは、ビットマップデータの縦方向及び横方向のピクセル数がイルミネーション制御を行う電動ブラインドの縦方向及び横方向の数と一致するか否かを判別するとともに、各ピクセルの色情報に基づいて、当該ピクセルに対応する電動ブラインドのスラットを開状態とするかあるいは閉状態とするかを設定する。
【００８８】
例えば、当該ピクセルが黄色であれば、対応する位置の電動ブラインドを開状態とする「１」のデータを設定し、当該ピクセルが灰色であれば、対応する位置の電動ブラインドを閉状態とする「０」のデータを設定する。
【００８９】
図１７は、前記変換プログラムに基づいてビットマップデータをイルミネーションパターンの制御データに変換する処理動作時に、前記表示装置１２に表示されるイルミネーションパターン作成画面３１を示す。
【００９０】
その作成画面３１の右端部には、ファイル選択部３２が設けられ、作業用メモリ１０に格納されているビットマップデータの多数のファイルの中から任意のファイルを選択する場合に使用される。
【００９１】
ファイル選択部３２の上方には、選択されたファイルのビットマップデータが表示される表示枠３３が設けられる。
ファイル選択部３２の下方には、ビットマップデータの各ピクセルの色情報をブラインドの開閉信号に変換する基準を緩和するための基準緩和ボタン３４が設けられている。
【００９２】
この基準緩和ボタン３４をマウスでクリックすると、例えば黄色の判別動作時に３バイトの色情報の判別条件が「２００以上，２００以上，１５０以下」というように緩和される。従って、原画を作成する場合の色情報の設定が容易となる。
【００９３】
前記基準緩和ボタン３４の下方には、変換ボタン３５が設けられている。この変換ボタン３５をクリックすることにより、ビットマップデータがイルミネーションパターンの制御データに変換される。
【００９４】
前記変換ボタン３５の下方には、終了ボタン３６が設けられ、制御データの変換作業を終了する場合に使用される。
前記表示枠３３の側方には、開放ブラインド表示枠３７が設けられ、変換された制御データに基づいて開状態となるブラインドの番号が一覧表示される。
【００９５】
前記開放ブラインド表示枠３７の下方には、閉鎖ブラインド表示枠３８が設けられ、変換された制御データに基づいて閉状態となるブラインドの番号が一覧表示される。
【００９６】
前記開放ブラインド表示枠３７及び閉鎖ブラインド表示枠３８の側方には、データ表示部３９が設けられ、変換された制御データに基づくイルミネーションパターンが表示される。このイルミネーションパターンは、電動ブラインドが配設される窓面のレイアウトに対応して表示可能であり、実際に表示されるイルミネーションパターンの確認が可能となる。
【００９７】
次に、このように構成されたイルミネーションパターン入力装置によるパターン生成動作及び入力動作を説明する。
まず、描画プログラムで原画を作成する場合には、操作者はマウス８あるいはキーボード９の操作により表示装置１２上で絵あるいは文字等の原画を作成する。そして、原画を構成する各ピクセルの色は、ブラインドを開状態とするピクセルの色を、例えば黄色若しくは黄色系とし、ブラインドを閉状態とするピクセルの色を灰色若しくは灰色系とする。そして、図１８に示すように、制御部６は作成された原画を表示装置１２上に表示する（ステップ６１）。
【００９８】
次いで、制御部６は作成された原画の縦方向及び横方向のピクセル数を、イルミネーション制御を行うブラインドの縦方向及び横方向の数に一致させてビットマップデータを生成する（ステップ６２）。そして、そのビットマップデータを１ファイルとして作業用メモリ１０に格納し（ステップ６３）、このような動作を繰り返して、複数のイルミネーションパターンの制御データを生成する。
【００９９】
次に、イルミネーションパターン制御データの生成動作を図１９に従って説明する。
制御データの生成動作の開始にともなって、制御部６は表示装置１２にイルミネーションパターン作成画面３１を表示する。そして、ファイル選択部３２で選択されたファイルのビットマップデータを表示枠３３に表示するとともに（ステップ６４）、そのビットマップデータを作業用メモリ１０内のビットマップレジスタに一時格納する（ステップ６５）。
【０１００】
次いで、制御部６は変換ボタン３５のクリックを待つ状態となり（ステップ６６）、変換ボタン３５がクリックされると、制御部６はビットマップデータの各ピクセルの色情報をブラインドの開閉データに順次変換して制御データを生成する（ステップ６７）。
【０１０１】
すなわち、各ピクセルのうち、黄色系の色情報を持つピクセルはブラインド開状態に設定し、灰色系の色情報を持つピクセルはブラインド閉状態に設定してイルミネーションパターンデータを生成する。
【０１０２】
次いで、制御部６は１つのビットマップデータから生成した制御データを１ファイルとして作業用メモリ１０に格納する（ステップ６８）。
そして、このような動作により生成されたイルミネーションパターンデータを使用して、前記第一の実施の形態と同様に、イルミネーション制御プログラムに基づいてイルミネーション制御が可能となる。
【０１０３】
上記のように構成されたイルミネーションパターンデータの入力装置では、次に示す作用効果を得ることができる。
（１）汎用の描画用プログラムで作成したビットマップデータに基づいて、制御データを容易にかつ迅速に生成することができる。
【０１０４】
（２）ビットマップデータを構成する各ピクセルの色情報に基づいて、当該ピクセルに対応するブラインドを開状態とするか閉状態とするかを自動的に設定することができる。
【０１０５】
（３）汎用の描画プログラムを使用するので、描画手順等を新たに習得する必要がない。
（４）イルミネーションパターン作成画面３１内のデータ表示部３９で、作成したイルミネーションパターンを表示することができるので、実際にイルミネーション制御を行う前に、イルミネーションパターンを容易に確認することができる。
【０１０６】
上記実施の形態は、次に示すように変更することもできる。
・ピクセルの色情報において、黄色をブラインド開状態、灰色をブラインド閉状態としたが、その他の色でもよい。
・原画は、ビットマップ形式以外の他の形式で作成してもよい。
・原画は、他の外部装置で作成してメインコントローラ１に入力するようにしてもよい。
・データ表示部３９に表示されたイルミネーションパターンに基づいて、前記第一の実施の形態と同様に、画面上の小図形（ピクセル）をクリックして、ブラインドの開閉状態の設定を変更可能としてもよい。
・イルミネーション制御時には、開状態とするブラインドと閉状態とするブラインドとをグループ分けし、各グループにそれぞれブラインドを開状態とする動作命令、あるいはブラインドを閉状態とする動作命令をそれぞれ一括して発信して、一斉動作開始命令を必要とすることなく、設定されたパターンに基づいて、各電動ブラインドを一斉に動作させるようにしてもよい。
【０１０７】
【発明の効果】
以上詳述したように、この発明はイルミネーション制御を容易にかつ迅速に行い得る電動ブラインドの制御装置を提供することができる。
【図面の簡単な説明】
【図１】電動ブラインドの制御装置を示す概略図である。
【図２】メインコントローラの電気的構成を示すブロック図である。
【図３】図形作成画面を示す説明図である。
【図４】全景画面を示す説明図である。
【図５】イルミネーションパターンの入力動作を示すフローチャート図である。
【図６】イルミネーションパターンの入力動作を示すフローチャート図である。
【図７】イルミネーションパターンの入力動作を示すフローチャート図である。
【図８】イルミネーションパターンの入力動作を示すフローチャート図である。
【図９】イルミネーションパターンの入力動作を示すフローチャート図である。
【図１０】イルミネーションパターンの入力動作を示すフローチャート図である。
【図１１】イルミネーションパターンの入力動作を示すフローチャート図である。
【図１２】イルミネーションパターンの入力動作を示すフローチャート図である。
【図１３】イルミネーション制御動作を示すフローチャート図である。
【図１４】イルミネーション制御動作を示すフローチャート図である。
【図１５】イルミネーション制御動作を示すフローチャート図である。
【図１６】イルミネーション制御プログラムを示す説明図である。
【図１７】第二の実施の形態の制御データ作成画面を示す説明図である。
【図１８】第二の実施の形態のイルミネーションパターンの入力動作を示すフローチャート図である。
【図１９】第二の実施の形態のイルミネーションパターンの入力動作を示すフローチャート図である。
【符号の説明】
６              制御部
８，９          操作装置（マウス、キーボード）
１０            記憶装置（作業用メモリ）
１２            表示装置
Ｐ              小図形
【図１】
0003545656.tif 000002
【図２】
0003545656.tif 000003
【図３】
0003545656.tif 000004
【図４】
0003545656.tif 000005
【図５】
0003545656.tif 000006
【図６】
0003545656.tif 000007
【図７】
0003545656.tif 000008
【図８】
0003545656.tif 000009
【図９】
0003545656.tif 000010
【図１０】
0003545656.tif 000011
【図１１】
0003545656.tif 000012
【図１２】
0003545656.tif 000013
【図１３】
0003545656.tif 000014
【図１４】
0003545656.tif 000015
【図１５】
0003545656.tif 000016
【図１６】
0003545656.tif 000017
【図１７】
0003545656.tif 000018
【図１８】
0003545656.tif 000019
【図１９】
0003545656.tif 000020